(57)【特許請求の範囲】
【請求項１】
釜本体１、撹拌機構２、掻き機構３および切換機構４を備えており、
撹拌機構２は釜本体１の中部に設置されており、掻き機構３は釜本体１の内側かつ撹拌
機構２の外側に設置されており、
切換機構４は係合溝４１、内係合ディスク４２、押圧ディスク４３、メイン係合ディス
ク４４および伸縮モータ４５を含み、係合溝４１は２つ以上備えられ、環状的に撹拌機構
２上に分布しており、内係合ディスク４２の外周に設けられる係合歯は係合溝４１内に挿
設されており、内係合ディスク４２の上端に設けられる突起リングと押圧ディスク４３と
が回転可能に接続されており、
伸縮モータ４５の底部が釜本体１の上端に固定され、その頂部が押圧ディスク４３に固
定されており、
メイン係合ディスク４４は、釜本体１に対して回転可能であり、上端面には内係合ディ
スク４２の外周に設けられる係合歯に係合する噛み合う凹溝が設置されており、撹拌機構
２は、メイン係合ディスク４４の中部に開設される貫通穴に挿設されている、
ことを特徴とする壁掻き可能な反応釜。
【請求項２】
撹拌機構２は、撹拌モータ２１、モータ軸２２および撹拌パドル２３を含み、モータ軸２
２の一端が撹拌モータ２１に接続され、その他端がメイン係合ディスク４４の中部におけ
る貫通穴を貫通しており、係合溝４１はモータ軸２２の外壁に開設されており、モータ軸
２２の底端は釜本体１の内底壁に固定的に取付けられる位置決め台２４に回転可能に接続
されており、撹拌パドル２３はモータ軸２２の外端に固定されている、ことを特徴とする
請求項１に記載の壁掻き可能な反応釜。
【請求項３】
撹拌パドル２３は多段であり、正反方向交替で螺旋状である、ことを特徴とする請求項２
に記載の壁掻き可能な反応釜。
【請求項４】
掻き機構３は位置決めロッド３１およびスクレーパー３２を含み、位置決めロッド３１の
数は少なくとも２つとし、位置決めロッド３１の一端がメイン係合ディスク４４の下端に
固定され、その他端が釜本体１底部に対して回転可能であり、スクレーパー３２は２つ以
上備えられ、その一端が位置決めロッド３１上に固定され、その他端が釜本体１内壁に接
触する、ことを特徴とする請求項１に記載の壁掻き可能な反応釜。
【請求項５】
隣り合う位置決めロッド３１上のスクレーパー３２は千島状に配置されており、このよう
にして回転すると釜本体１内壁へ掻く際の面積が増大する、ことを特徴とする請求項４に
記載の壁掻き可能な反応釜。
【請求項６】
釜本体１の外側に掃除機構５が設けられており、掃除機構５は外フレーム５１、下仕切板
５２、引き出し５３、上仕切板５４、動力ユニット５５、保護ユニット５６および掃除ブ
ラッシュ５７を含み、釜本体１は外フレーム５１の内側に回転可能に接続されており、下
仕切板５２および上仕切板５４はいずれも外フレーム５１の対向する内壁の間に固定接続
され、且つ下仕切板５２および上仕切板５４は下から上へ分布しており、動力ユニット５
５は下仕切板５２と上仕切板５４の間に取付けられ、釜本体１の回転を駆動可能であり、
引き出し５３は下仕切板５２と外フレーム５１の底壁との間に配置されており、釜本体１
内部から排出する材料を受けるように配置されており、保護ユニット５６は釜本体１の外
側に設置されており、掃除ブラッシュ５７は外フレーム５１の内壁に粘着され、釜本体１
の表面に接触する、ことを特徴とする請求項１に記載の壁掻き可能な反応釜。
【請求項７】
動力ユニット５５は動力モータ５５１、カム５５２および伝動歯５５３を含み、動力モー
タ５５１は上仕切板５４上に取り付けられており、その動力端が上仕切板５４を貫通して
下仕切板５２に対して回転可能であり、カム５５２は動力モータ５５１の出力軸の外端に
固定されており、伝動歯５５３は２つ以上備えられ、均一に釜本体１の外壁に固定され、
且つ環状的に配置されており、カム５５２の出力軸と反対側の一端は隣り合う両伝動歯５
５３間に配置されている、ことを特徴とする請求項６に記載の壁掻き可能な反応釜。
【請求項８】
保護ユニット５６は保護リング５６１、接続ロッド５６２および位置決めブロック５６３
を含み、保護リング５６１は釜本体１の外側に接続されており、接続ロッド５６２は２つ
設けられ、それぞれ保護リング５６１の両端に固定されており、接続ロッド５６２の保護
リング５６１と反対側の一端は位置決めブロック５６３に固定されている、ことを特徴と
する請求項６に記載の壁掻き可能な反応釜。
【発明の詳細な説明】
【技術分野】
【０００１】
本発明は、反応釜に関し、具体的には壁掻き可能な反応釜に関する。
【背景技術】
【０００２】
従来の反応釜が一体型構造とされているので、釜の内壁はきれいに洗浄するのは難しい。
内壁上へ残った残留物は、反応製品の生産に悪影響を与え、不合格品をもたらす可能性が
高い。また、内壁への残留物積みで、反応釜の熱伝導性が悪化され、釜内温度を適時に所
定温度に達させることができなく、製品の品質へ影響を与える。さらに、残留物が腐食性
を持つものの場合、反応釜の内壁を腐食するので、反応釜、ないしはかかる他の装置や部
品の使用寿命を減少させる。
【０００３】
これに対して、撹拌軸の外端にスクレーパーを設置してそれによって釜の内壁を掻くこと
が提案されている。ところが、スクレーパーは撹拌軸と同期に回転するもので、自主的に
機能する自由度がない。撹拌が停止すればスクレーパーの掻き消しも終わり、撹拌が開始
すればスクレーパーの掻き消しも始まる。また長期間使用にわたって、スクレーパーは磨
損が起こり、スクレーパーと内壁間の隙間が大きく離れて、スクレイプの効果が発揮でき
なくなる。
【発明の概要】
【０００４】
本発明は、上記の問題に対して、壁掻き可能な反応釜を提供する。
本発明が採用する技術方案は下記の通りである。
壁掻き可能な反応釜は、
釜本体、撹拌機構、掻き機構および切換機構を備えており、
撹拌機構は釜本体の中部に設置されておし、掻き機構は釜本体の内側かつ撹拌機構の外
側に設置されており、
切換機構は係合溝、内係合ディスク、押圧ディスク、メイン係合ディスクおよび伸縮モ
ータを含み、係合溝はつ以上備えられ、環状的に撹拌機構上に配置されており、内係合デ
ィスクの外周に設けられる係合歯は係合溝内に挿設されており、内係合ディスクの上端に
設けられる突起リングと押圧ディスクとが回転可能に接続されており、
伸縮モータの底部が釜本体の上端に固定され、その頂部が押圧ディスクに固定されてお
り、
メイン係合ディスクは釜本体に対して回転可能とし、上端面には、内係合ディスクの外
周に係合する噛み合う凹溝が設置されており、撹拌機構はメイン係合ディスクの中部に開
設される貫通穴に挿設されている。
【０００５】
好ましくは、撹拌機構は、撹拌モータ、モータ軸および撹拌パドルを含み、モータ軸の一
端が撹拌モータに接続され、その他端がメイン係合ディスクの中部における貫通穴を貫通
しており、係合溝はモータ軸の外壁に開設されており、モータ軸の底端は釜本体の内底壁
に固定的に取付けされる位置決め台に回転可能に接続されており、撹拌パドルはモータ軸
の外端に固定されている。
【０００６】
好ましくは、撹拌パドルは多段とし、正反方向交替で螺旋状である。
【０００７】
好ましくは、掻き機構は位置決めロッドおよびスクレーパーを含み、位置決めロッドの数
は少なくともつとし、位置決めロッドの一端がメイン係合ディスクの下端に固定され、そ
の他端が釜本体底部に対して回転可能であり、スクレーパーはつ以上備えられ、その一端
が位置決めロッド上に固定され、その他端が釜本体内壁に接触している。
【０００８】
好ましくは、隣り合う位置決めロッド上のスクレーパーは千島状に配置されており、この
ようにして回転起動すると釜本体内壁へ掻く際の面積が増大する。
【０００９】
好ましくは、釜本体の外側に掃除機構が設けられており、掃除機構は外フレーム、下仕切
板、引き出し、上仕切板、動力ユニット、保護ユニットおよび掃除ブラッシュを含み、釜
本体は外フレームの内側に回転可能に接続されており、下仕切板および上仕切板はいずれ
も外フレームの対向する内壁の間に固定接続され、且つ下から上へ配置されており、動力
ユニットは下仕切板と上仕切板の間に取付けられ、釜本体の回転を駆動可能であり、引き
出しは下仕切板と外フレームの底壁との間に配置されており、釜本体内部から排出する材
料を受けるように配置されており、保護ユニットは釜本体の外側に設置されており、掃除
ブラッシュは外フレームの内壁に粘着され、釜本体の表面に接触する。
【００１０】
好ましくは、動力ユニットは動力モータ、カムおよび伝動歯を含み、動力モータは上仕切
板上に取り付けられており、その動力端が上仕切板を貫通して下仕切板に対して回転可能
であり、カムは動力モータの出力軸の外端に固定されており、伝動歯はつ以上備えられ、
均一に釜本体の外壁に固定され、且つ環状的に配置されており、カムの出力軸と反対側の
一端は隣り合う両伝動歯間に配置されている。
【００１１】
好ましくは、保護ユニットは保護リング、接続ロッドおよび位置決めブロックを含み、保
護リングは釜本体の外側に接続されており、接続ロッドはつ設けられ、それぞれ保護リン
グの両端に固定されており、接続ロッドの保護リングと反対側の一端は位置決めブロック
に固定されている。
【００１２】
本発明の有益な効果は以下の通りである。
・  本発明の反応釜は、材料の撹拌中において掻き処理が選択可能である。掻き作業際は
、内係合ディスクの外周における係合歯をメイン係合ディスクの上端における凹溝内に係
入するように伸縮モータを短縮させれば、撹拌材料の運動エネルギによって掻き機構を動
作させる。そして、メイン係合ディスクの下端が密閉処理とされ、モータ軸が軸受けを介
してメイン係合ディスクの中部における貫通穴に取付られるので、埃の入ることなどがな
い。メイン係合ディスクの外周と釜本体が互いに回転する際は、メイン係合ディスクが落
とすことがない。
・  スクレーパーをずれて設置する（千島状配布）ことによって、釜本体内壁に対する掻
き面積が広くなって、掻き効果が一層よくなる。
・  撹拌パドルは、多段とし、正反方向交替で螺旋状としている。これによって、撹拌際
に材料の運動方向が一定としなく、変化するようにできるので、撹拌を充分に行うことが
できる。
・  掃除機構を設置することによって、釜本体外壁上の灰埃も清潔することができるので
、灰埃の積込みを防止する。また、掃除は、撹拌と同時に実行することができ、撹拌を促
進する機能を発揮する。
【図面の簡単な説明】
【００１３】
以下、図面及び実施例とともに本発明をさらに説明する。
【図１】本発明の釜本体の立体構造の概略図である。
【図２】本発明の釜本体の構造断面図である。
【図３】本発明の釜本体の平面構成図である。
【図４】本発明の立体構造の概略図である。
【図５】本発明の動力ユニットにおける平面構造の概略図である。
【図６】本発明の保護ユニットにおける平面構造の概略図である。
【００１４】
［符号の説明］
１  釜本体
２  撹拌機構
２１  撹拌モータ
２２  モータ軸
２３  撹拌パドル
２４  位置決め台
３  掻き機構
３１  位置決めロッド
３２  スクレーパー
４  切換機構
４１  係合溝
４２  内係合ディスク
４３  押圧ディスク
４４  メイン係合ディスク
４５  伸縮モータ
５  掃除機構
５１  外フレーム
５２  下仕切板
５３  引き出し
５４  上仕切板
５５  動力ユニット
５５１  動力モータ
５５２  カム
５５３  伝動歯
５６  保護ユニット
５６１  保護リング
５６２  接続ロッド
５６３  位置決めブロック
５７  掃除ブラッシュ
【発明を実施するための形態】
【００１５】
本発明によって実現される技術的手段、創作的特徴、目的と効果を明確に説明するために
、以下では具体的な実施形態に関連して、本発明をさらに説明する。
【００１６】
図１〜図６に示されるように、本発明の壁掻き可能な反応釜は、釜本体１、撹拌機構２、
掻き機構３および切換機構４を備えている。撹拌機構２は釜本体１の中部に設置されてい
る。掻き機構３は釜本体１の内側かつ撹拌機構２の外側に設置されている。切換機構４は
係合溝４１、内係合ディスク４２、押圧ディスク４３、メイン係合ディスク４４および伸
縮モータ４５を含む。係合溝４１は２つ以上備えられ、環状的に撹拌機構２上に配布され
ている。内係合ディスク４２の外周に設けられる係合歯は係合溝４１内に挿設されている
。係合歯の数が係合溝４１に対応するようにされている。内係合ディスク４２の上端に設
けられる突起リングと押圧ディスク４３とが回転可能に接続されている。突起リングの断
面がＬ形状とされている。このため、内係合ディスク４２は押圧ディスク４３上から落ち
ることがない。伸縮モータ４５の底部が釜本体１の上端に固定され、その頂部が押圧ディ
スク４３に固定されている。メイン係合ディスク４４は釜本体１に対して回転可能とする
。メイン係合ディスク４４の外周にフランジが設置されている。釜本体１の上端開口にお
ける内壁にフランジに嵌合される環形状の滑り溝が設置されている。このようにして、フ
ランジは滑り溝内でメイン係合ディスク４４の回転を邪魔しなく、そしてこのフランジに
よってメイン係合ディスク４４が落ちやすくないようにできる。また上端面には、内係合
ディスク４２の外周に係合するティースのように噛み合う凹溝が設置されている。また、
撹拌機構２はメイン係合ディスク４４の中部に開設される貫通穴に挿設されている。
【００１７】
図２に示されるように、撹拌機構２は、撹拌モータ２１、モータ軸２２および撹拌パドル
２３を含む。モータ軸２２の一端が撹拌モータ２１に接続され、その他端がメイン係合デ
ィスク４４の中部における貫通穴を貫通している。撹拌モータ２１は使用際に外部のホル
ダに固定するようにする。係合溝４１はモータ軸２２の外壁に開設されている。モータ軸
２２の底端は釜本体１の内底壁に固定的に取付けされる位置決め台２４に回転可能に接続
されている。撹拌パドル２３はモータ軸２２の外端に固定されている。撹拌パドル２３は
多段とし、正反方向交替で螺旋状としている。このようにして釜本体１内に入った材料を
均一に撹拌することができる。
【００１８】
図２に示されるように、掻き機構３は位置決めロッド３１およびスクレーパー３２を含む
。位置決めロッド３１の数は少なくとも２つとする。位置決めロッド３１の一端がメイン
係合ディスク４４の下端に固定され、その他端が釜本体１底部の位置決め台２４に対して
回転可能である。スクレーパー３２は２つ以上備えられ、その一端が位置決めロッド３１
上に固定され、その他端が釜本体１内壁に接触している。隣り合う位置決めロッド３１上
のスクレーパー３２は千島状に配布される。このようにして回転起動すると釜本体１内壁
へ掻く際の面積が増大する。
【００１９】
図４〜６に示されるように、釜本体１の外側に掃除機構５が設けられている。掃除機構５
は外フレーム５１、下仕切板５２、引き出し５３、上仕切板５４、動力ユニット５５、保
護ユニット５６および掃除ブラッシュ５７を含む。釜本体１は外フレーム５１の内側に回
転可能に接続されている。下仕切板５２および上仕切板５４はいずれも外フレーム５１の
対向する内壁の間に固定接続され、且つ下から上へ配布されている。動力ユニット５５は
下仕切板５２と上仕切板５４の間に取付けられ、釜本体１の回転を駆動可能である。引き
出し５３は下仕切板５２と外フレーム５１の底壁との間に配置されており、釜本体１内部
から排出する材料を受けるように配置されている。下仕切板５２と外フレーム１内壁の間
に下ろしスリットが残されている。釜本体１の下端に位置する排出口は下ろしスリットの
直上方に位置されている。このため、引き出し５３は材料を受けることができる。下仕切
板５２は傾斜的に設置されており、その釜本体１寄りの一側は低い側とし、落ちた材料を
一方向に案内するようにする。これによって、引き出し５３内に容易に進入させる。保護
ユニット５６は釜本体１の外側に設置されている。掃除ブラッシュ５７は外フレーム５１
の内壁に粘着され、釜本体１の表面に接触可能である。
【００２０】
図５に示されるように、動力ユニット５５は動力モータ５５１、カム５５２および伝動歯
５５３を含む。動力モータ５５１は上仕切板５４上に取り付けられており、その動力端が
上仕切板５４を貫通して下仕切板５２に対して回転可能である。カム５５２は動力モータ
５５１の出力軸の外端に固定されている。伝動歯５５３は２つ以上備えられ、均一に釜本
体１の外壁に固定され、且つ環状的に配布されている。カム５５２の出力軸と反対側の一
端は隣り合う両伝動歯５５３間に配置されている。
【００２１】
図６に示されるように、保護ユニット５６は保護リング５６１、接続ロッド５６２および
位置決めブロック５６３を含む。保護リング５６１は釜本体１の外側に接続されている。
接続ロッド５６２は２つ設けられ、それぞれ保護リング５６１の両端に固定されている。
接続ロッド５６２の保護リング５６１と反対側の一端は位置決めブロック５６３に固定さ
れている。
【００２２】
材料を釜本体１の頂端に固定する供給口から受け入れると、撹拌モータ２１を起動して、
モータ軸２２に連動して撹拌パドル２３が回転しながら材料を撹拌するように始まる。そ
れとともに、内係合ディスク４２の外周における係合歯と係合溝４１の係合により、内係
合ディスク４２が連動して押圧ディスク４３の下端において回転する。釜本体１の掻き処
理にあたっては、伸縮モータ４５を伸縮して、押圧ディスク４３が連動して下移して、押
圧ディスク４３によって内係合ディスク４２を押圧してメイン係合ディスク４４上端の凹
溝内まで下移させる。そして内係合ディスク４２外側の係合歯と凹溝が係りあって、内係
合ディスク４２が回転する時はメイン係合ディスク４４が連動して回転する。それととも
に、それらの下方にある撹拌パドル２３とスクレーパー３２も運動する。これで、材料を
撹拌しながらスクレーパー３２が釜本体１の内壁を掻くように動作するので、材料が釜本
体１の内壁上へは粘り難いようにできる。またスクレーパー３２の千島状配布によって、
釜本体１内壁への掻き面積が増大する。そして材料を撹拌し終わったら、排出口から排出
して、下ろしスリットを介して引き出し５３内に落とす。このとき、引き出し５３を引き
出して材料を収集する。
【００２３】
収集が終わったら、動力モータ５５１を起動して、動力モータ５５１に連動してカム５５
２が回転する。このようにして間欠的に伝動歯５５３を動かして、釜本体１を回転させる
。このときは、掃除ブラッシュ５７によって釜本体１の外壁における埃などを掃除する。
掃除後、落下した埃が下ろしスリットから引き出し５３内におろす。この引き出し５３は
新しいものとしてもよく、材料を盛る引き出し５３と区別する。そして、引き出し５３内
における釜の埃を処分すればよい。また材料がまだ排出されていないうちにおいて材料を
撹拌しながら釜本体１の外面の埃などを掃除してもよい。この場合は、掃除機構５が材料
の撹拌を促進する機能も有する。釜本体１の回転過程では、保護リング５６１は、釜本体
１の回転範囲を定義するように働いているので、釜本体１が倒れやすくないようにできる
。
【要約】      （修正有）【課題】材料の撹拌中において掻き処理が選択可能で、釜の内壁をきれいに洗浄できる壁掻き可能な反応釜を提供する。【解決手段】釜本体１、撹拌機構２、掻き機構３および切換機構４を備えており、撹拌機構２は、撹拌モータ２１、モータ軸２２および、正反方向交替で螺旋状である多段の撹拌パドル２３を含み、掻き機構３は釜本体１の内側かつ撹拌機構２の外側に設置されており、位置決めロッド３１およびスクレーパー３２を含み、切換機構４は係合溝４１、内係合ディスク４２、押圧ディスク４３、メイン係合ディスク４４を含み、隣り合う位置決めロッド３１上のスクレーパー３２は千島状に配置されており、回転すると釜本体１内壁へ掻く際の面積が増大する、ことを特徴とする壁掻き可能な反応釜。【選択図】図２【図１】
0006910586.tif 000002
【図２】
0006910586.tif 000003
【図３】
0006910586.tif 000004
【図４】
0006910586.tif 000005
【図５】
0006910586.tif 000006
【図６】
0006910586.tif 000007